(57)【特許請求の範囲】
【請求項１】
ガイド溝を備えたガイドレールと、
前記ガイドレールのガイド溝に沿って着脱可能に取り付けた防水板と、
前記防水板の屋外側で少なくとも前記ガイドレール及び防水板の間の隙間を覆って取り付けた防水シートと、
前記防水シートの両側部近傍に長手方向に沿って形成されたポケットに封入されていて前記ガイドレール及び防水板にそれぞれ吸着される磁石と、
を備えたことを特徴とする防水装置。
【請求項２】
ガイド溝を備えたガイドレールと、
前記ガイドレールのガイド溝に沿って着脱可能に取り付けた防水板と、
前記防水板の屋外側で少なくとも前記ガイドレール及び防水板の間の隙間を覆って取り付けた防水シートと、を備え、
前記防水シートは、前記防水板に固定した巻き取り部材に巻き取られており、該巻き取り部材から防水シートを繰り出して下側の防水板と前記ガイドレール及び防水板の間の隙間とを覆って、前記防水シートの両側部を前記ガイドレールに密着させる固定具をそれぞれ備えたことを特徴とする防水装置。
【発明の詳細な説明】
【技術分野】
【０００１】
本発明は、外部から建物の出入口を通して建物内に浸水することを防止する防水装置の防水性を向上させた防水装置に関する。
【背景技術】
【０００２】
近年、大雨や洪水等で道路等が浸水すると、その近辺の家屋やビル、或いは地下鉄の駅等の各種の建物に出入口から水が浸入して水浸しになるため、例えば特許文献１に記載された防水装置では、開口部の両側壁に設けたガイドレールのガイド溝に防水板を挿入して積層して開口部を閉塞した構成を備えている。
この種の防水装置では、図９に示すようにガイドレール１００のガイド溝１０１内に防水板１０２の端部が嵌合しており、防水板１０２の屋内側の面に止水材１０３を固着してガイド溝１０１の内面と当接させて防水性を高めている。
【０００３】
また、特許文献２に記載された防水装置は、建物の開口部の両側にレールを設置し、それと併設するように溝部を対向させてシャッター用ガイドレールを設置している。シャッター用ガイドレールの溝部にシャッターカーテンが巻取りシャフトを巻き降ろし方向に回転させて降下させ、または巻き上げ方向に回転させて上昇させるようにしている。シャッターカーテンは帯状のスラットが上下方向に係合して巻き上げと繰り出しを可能にしている。通常、シャッターカーテンは防水機能がなく、帯状のスラットを上下で係合しているため、水が道路等に溢れて建物の開口部に浸入しようとする際、スラット間の係合部の隙間や、床面とシャッターカーテン最下部との隙間から水が屋内側に漏れて浸入するおそれがあった。
【０００４】
そのため、シャッターカーテンの外側の両側壁には、保持部としてレールとレール内に設置されたビードを取り付け、シートの幅方向の両端に設けたジッパーがそれぞれビード内に引き出し可能に設置されている。シートはたるみを有するために、ビードからシートを引き出してシャッターカーテンとガイドレールと壁面にそれぞれ密着させることでシャッターカーテンの所定部より下側を閉塞できる。しかも、シートの上部はシャッターカーテンにマグネット等で吸着させて固定し、下部は床面上に垂らしてその上に金属等の押圧部材を設置してシート下部を押圧している。
このようにシャッターカーテンの外側で両側部を保持部で支持したシートをシャッターカーテンとガイドレールと壁面に密着させることで、シャッターカーテンの所定部より下側を閉塞して開口部から屋内側への浸水を抑制している。
【先行技術文献】
【特許文献】
【０００５】
【特許文献１】特開２０１１−２５６６４２号公報
【特許文献２】特開２０１５−３８３１７号公報
【発明の概要】
【発明が解決しようとする課題】
【０００６】
しかしながら、上述した特許文献１に記載された防水装置では、ガイドレール１００のガイド溝１０１と防水板１０２との屋外側の角部の隙間から水が侵入してガイド溝１０１内が満たされるため、屋内側の止水材１０３とガイド溝１０１との隙間から水が屋内側に漏れ出てしまっていた。
また、特許文献２に記載された防水装置では、開口部をシャッターカーテンで閉塞すると共にその外側で両側壁面に設けた保持部からたるみを持たせたシートを引き出して、上部をマグネットで、下部を押圧部材でそれぞれ押圧固定するため、シートを固定する部材をシートの上下左右に設置しなければならなかった。そのため、シートによる防水のための部材数が多く、設置に手間がかかるという欠点があった。また、スラット係合部とガイドレールからの漏水を防ぐ目的のため、シートはスラット及びガイドレールを一体に覆わなければならず、特に開口幅が広いものは設置に時間を要するとともに、使用する材料が多くなってしまう。
従来の防水装置において完全止水は困難であり、ガイドレール及び床面からの漏水を容易に且つ労力を要せず極力少なくしたいという要望が以前からあった。
【０００７】
本発明は、このような課題に鑑みてなされたものであって、少ない部品点数で簡単に設置して防水機能を高めることを可能とした防水装置を提供することを目的とする。
【課題を解決するための手段】
【０００８】
本発明による防水装置は、ガイド溝を備えたガイドレールと、ガイドレールのガイド溝に沿って着脱可能に取り付けた防水板と、防水板の屋外側で少なくともガイドレール及び防水板の間の隙間を覆って取り付けた防水シートと、前記防水シートの両側部近傍に長手方向に沿って形成されたポケットに封入されていて前記ガイドレール及び防水板にそれぞれ吸着される磁石と、を備えたことを特徴とする。
本発明による防水装置では、ガイドレールのガイド溝に嵌合させた防水板は互いにまたは床面と密着しているために止水性を確保できると共に、少なくともガイドレール及び防水板の間の角部の隙間を防水シートで覆っているために、覆っていない従来の防水板よりガイドレール及び防水板の間の隙間から漏水することを防止でき、防水性能を向上させることができる。
なお、ガイドレールと防水板との間の隙間は、平常時には防水板をガイドレール上端部から外し、非常時には防水板をガイドレール上端部から差し込む、という抜き差し動作を行うために必要となる。
【０００９】
また、防水シートは、ガイドレール及び防水板の間の隙間を覆って取り付けられ、ガイドレールと防水板に防水シートの両側部を密着させる固定具をそれぞれ備えることが好ましい。
本発明では、ガイドレールのガイド溝に嵌合させた防水板だけでも止水性を確保できるため、ガイドレールと防水板の間の隙間の部分だけを防水シートで覆って固定具によって防水シートの両側部をガイドレールと止水板に密着させて止水するので、小さい面積の防水シートによってより止水性を向上させることが可能となる。
【００１０】
また、本発明による防水装置は、ガイド溝を備えたガイドレールと、前記ガイドレールのガイド溝に沿って着脱可能に取り付けた防水板と、前記防水板の屋外側で少なくとも前記ガイドレール及び防水板の間の隙間を覆って取り付けた防水シートと、を備え、防水シートは、防水板に固定した巻き取り部材に巻き取られており、該巻き取り部材から防水シートを繰り出して下側の防水板とガイドレール及び防水板の間の隙間とを覆って、防水シートの両側部をガイドレールに密着させる固定具をそれぞれ備えることを特徴とする。
防水板に固定した巻き取り部材に防水シートを巻いた防水シート部材が設置されており、この巻き取り部材から防水シートを繰り出して下側の防水板とガイドレール及び防水板の間の隙間とを覆って、固定具で防水シートをガイドレールに密着させて止水するので、防水装置全体に亘って巻き取り部材から防水シートを繰り出してその両側部を固定具でガイドレールに固定して全体に止水できる。
なお、本発明において、巻き取り部材は上側の防水板に直接固定してもよいし、防水板に固定した補強部材や他の支持部材に防水シートを巻いた巻き取り部材を設置しても載せるだけの配置でもよい。
【発明の効果】
【００１１】
本発明による防水装置は、ガイドレールのガイド溝に防水板を嵌合して少なくともガイドレールと防水板の間の隙間を防水シートで覆って防水するため、部品点数が少なく簡単に取り付けることができて高い防水機能を得られる。
【図面の簡単な説明】
【００１２】
【図１】本発明の第一実施形態による防水装置の要部斜視図である。
【図２】図１における防水装置のガイドレールと防水板を覆う防水シートを示すＡ−Ａ線水平断面図である。
【図３】防水シートの正面図である。
【図４】本発明の第二実施形態による防水装置の要部斜視図である。
【図５】図４に示す防水板と防水シートのＢ−Ｂ線要部縦断面図である。
【図６】防水シートをガイドレールに取り付ける固定具の変形例を示す要部説明図である。
【図７】本発明の第二実施形態による防水装置の他の使用例を示す斜視図である。
【図８】図７に示す防水シートの中央縦断面図である。
【図９】従来のガイドレールと防水板との嵌合構造を示す要部水平断面図である。
【発明を実施するための形態】
【００１３】
以下、本発明の実施形態による建物の防水装置を図１乃至図８に基づいて説明する。
図１から図３は本発明の第一実施形態による防水装置１を示すものである。図１において、建物の出入り口２の開口部に防水装置１が設置されている。防水装置１は建物の出入り口２の両側の屋外側の壁面２ａに固定された一対のガイドレール３と複数の防水板４とを備えている。
【００１４】
図２において、各ガイドレール３は例えばアルミ合金製で、ガイド溝６ａを備えた断面略コの字状のガイド部６を建物の壁面２ａに連結する例えば角筒状の基部７が一体に形成されている。ガイドレール３の上端は図示しない蓋で閉塞されている。一対のガイドレール３は基部７がボルト等で壁面２ａに固定されている。各ガイドレール３は断面コの字状のガイド溝６ａが対向するように配設され、各ガイド溝６ａには防水板４の両端部が嵌合されている。
【００１５】
防水板４は例えば長方形板状のアルミ合金からなっており、各ガイド溝６ａに沿って昇降可能であり、必要に応じて装着と取り外しが行える。それぞれの防水板４には長手方向に沿って線状の止水材８が固着されている。例えば、最下段の防水板４の上面と下面に止水材８が固着され、中間の防水板４の上面に止水材８が固着され、最上段の防水板４の上面には止水座８を設けない構成を採用してもよい。そのため、最下端の防水板４は床面１０に止水材８が密着して止水し、２層目と３層目の防水板４は上面に設けた止水材８によって互いに密着止水して積層されている。なお、各防水板４に対する止水材８の設置面は互いに止水できれば適宜の面に採用できる。
また、防水板４の屋外側の外面４ａには長手方向に補強部材１１が一体または別体に形成されている。補強部材１１の断面形状は任意の形状を採用できるが、本実施形態では略Ｔ字状を形成している。防水板４は例えばアルミ合金製で比較的耐水圧強度が低いために同一材質の補強部材１１を形成することで強度を補強している。
【００１６】
また、図２に示すように防水板４の両端部は対向するガイドレール３のガイド溝６ａ内に挿入されており、その屋内側の内面４ｂには上下方向に延びる止水材１２が固着されており、ガイド部６の内側端部６ｂに止水材１２が当接することで屋内側への止水性を確保している。防水板４の端部の外面４ａはガイド部６の屋外側の外側端面６ｃとの間に若干の隙間が形成され、ガイド溝６ａに対する防水板４の挿脱を容易にしている。
そのため、雨水等が防水板４とガイド溝６ａのガイド部６との小さな隙間Ｋから浸入することがある。特にガイド部６と防水板４との角部における下端部の隙間Ｋから水が浸入し易い傾向がある。また、三層に積層された各防水板４の外面４ａとガイドレール３のガイド部６の屋外側の外面には例えば帯状の磁石シート１４、１５が上下方向にそれぞれ固着されている。
【００１７】
また、各防水板４の外面４ａとガイドレール３のガイド部６にそれぞれ設けた磁石シート１４，１５に、防水シート１７が固着されている。防水シート１７は例えば図３に示すように略長方形状で柔軟性を有する例えば樹脂フィルムからなるシートであり、長手方向に沿う両側部近傍にはポケット１７ａ、１７ｂがそれぞれ形成され、各ポケット１７ａ、１７ｂ内には帯状の磁石１８，１９が封入されている。
また、防水シート１７の各磁石１８，１９の下部にはポケット１７ｃが形成され、その内部に例えば鉄やステンレス等の金属等からなる重り２０が封入されている。しかも、防水シート１７の各磁石１８，１９と重り２０との間には防水シート１７を任意の角度に折り曲げて三面の各面に密着できる程度の間隙を設けることが好ましい。なお、重り２０は封入することが望ましいが、防水シート１７の上に載置してもよい。
【００１８】
そして、図１に示すように、防水装置１の両側のガイドレール３付近において、各防水板４の磁石シート１４とガイドレール３のガイド部６の磁石シート１５に、防水シート１７の各ポケット１７ａ、１７ｂに封入された磁石１８と磁石１９がそれぞれ吸着されるように対向させて取り付ける。この状態で防水シート１７の上辺は最上段の防水板４の上端付近に位置し、下側部分は床面１０に当接して折り曲げられて床面１０上に延びている。
そのため、防水シート１７の長手方向に沿う両側部は防水板４の磁石シート１４とポケット１７ａの磁石１８、ガイドレール３のガイド部６の磁石シート１５とポケット１７ｂの磁石１９によってほぼ水密に近い状態に密着される。
しかも、防水シート１７の床面１０上に延びる下部の部分にはポケット１７ｃ内に重り２０が位置して押さえ部材として押さえている。そのため、防水シート１７は床面１０と防水板４及びガイドレール３のガイド部６との間に隙間がほとんどない程度に密着する。そのため、三層に積層された各防水板４とガイドレール３のガイド部６との間の小さな隙間Ｋが防水シート１７の両側部と下部とによって封止されるために、雨水等が外部から隙間Ｋ内に浸入することを防止できる。
【００１９】
本第一実施形態による防水装置１は上述の構成を備えており、次にその使用方法について説明する。
防水装置１において、一対のガイドレール３のガイド溝６ａ内に複数の防水板４を装着し、両側のガイドレール３のガイド溝６ａのガイド部６と防水板４との間の小さな隙間Ｋは、防水シート１７で覆う。そして、防水シート１７の両側部のポケット１７ａ、１７ｂに封止された磁石１８，１９で各防水板４の磁石シート１４とガイド部６の磁石シート１５に吸着させることで水密に封止できる。
なお、防水シート１７に封入する磁石１８，１９及びガイドレール３に固定する磁石は棒状のもの、あるいは可とう性のあるシート状のものなどが考えられる。
【００２０】
しかも、床面１０に防水シート１７の下部が折れ曲がって面接触し、ポケット１７ｃに封入された重り２０によって動かないように密着できる。
そのため、大雨や洪水等で道路等が浸水したり冠水したりしたとしても、防水装置１の防水板４間や防水板４とガイドレール３との隙間Ｋからガイド溝６ａ内に水が浸入することを防水シート１７で防いで屋外側から屋内側の出入り口２内に漏水することを防止できる。
【００２１】
上述のように本実施形態による防水装置１によれば、両側のガイドレール３のガイド溝６ａに嵌合された複数の防水板４とその止水材８によって、各防水板４の間から雨水等が浸入することを防止できる。しかも、両側のガイドレール３のガイド溝６ａのガイド部６と防水板４との間の小さな隙間Ｋは、防水シート１７によってそれぞれ止水できるため、雨水や洪水等による水の浸入を防止できる。
しかも、防水装置１の設置に際し、一対のガイドレール３のガイド溝６ａ間に防水板４を嵌合させた上で、防水板４とガイドレール３との隙間Ｋを防水シート１７でそれぞれ封止すればよいため、部品点数が少なく簡単に取り付けと取り外しを行える。
【００２２】
なお、本発明による防水装置１は、上述した実施形態に限定されるものではなく、本発明の要旨を逸脱しない範囲で適宜の変更や置換等が可能である。以下に、本発明の他の実施形態や変形例について説明するが、上述した実施形態で説明した部品や部材等と同一または同様なものについては同一の符号を用いて説明する。
【００２３】
例えば、図４及び図５は本発明の第二実施形態による防水装置１Ａを示すものである。
本第二実施形態において、防水装置１Ａは出入り口２の両壁面２ａに設置したガイドレール３のガイド溝６ａに複数の防水板４を積層して嵌合している。
そして、防水シート部材２２は両側のガイドレール３のガイド溝６ａ内に嵌合させた複数の防水板４のうち、例えば最上段の防水板４の屋外側の外面４ａに固定した補強部材１１にロール状の防水シート２３の巻き取り部材２４を設置した。この巻き取り部材２４は棒状の軸心２５の両端が補強部材１１に固定した支持部２６に回転可能に支持されている。
【００２４】
しかも巻き取り部材２４において、軸心２５に巻き取り可能な防水シート２３は横幅が防水板４の横幅を超えてガイドレール３のガイド部６をほぼ覆う程度に幅広に設定され、しかも軸心２５に巻かれる上端部(基端部)は軸心２５の幅と同程度になるように両幅が短く縮幅されている。また、防水シート２３の縦方向(高さ方向)の長さは軸心２５の高さから床面１０に延びて更に床面１０上に載置される程度の長さに設定されている。
なお、巻き取り部材２４の横幅は少なくとも両側のガイドレール３，３間の幅より短ければよく、また、補強部材１１に取り付けた状態で補強部材１１より幅が長くても短くてもよい。
【００２５】
また、図４に示すように広げて下方に繰り出した防水シート２３において、両側部には帯状の磁石１９を出し入れ可能に収納する開口付きポケット２３ａを設置し、床面１０上に載置される下部には重石２０を出し入れ可能に収納する開口付きポケット２３ｂを設置している。そのため、防水シート２３を軸心２５に巻き取る際には両側部の各ポケット２３ａから磁石１９を外すと共に下部のポケット２３ｂから重石２０を外す。
この状態で、防水シート２３を軸心２５に巻き取ることができ、両側のガイド部６を覆う程度に広い部分は内側に折り込んで軸心２５の幅と同程度の幅にして巻き取ることが好ましい。或いは、防水シート２３にポケット２３ａ、２３ｂを形成しなくてもよく、この場合、防水シート２３を広げた状態でガイドレール３上に載置した両側部表面に磁石１９を載せてガイドレール３に吸着させてもよく、また下部に重石２０を載せて動かないようにしてもよい。
【００２６】
本第二実施形態による防水装置１Ａは上述の構成を備えており、その取り付け方法を説明する。
即ち、両側のガイドレール３のガイド部６のガイド溝６ａ内に複数の防水板４を順次嵌合させて積層し、最上段の防水板４の補強部材１１の上部に巻き取り部材２４を備えた防水シート部材２２を設置する。設置に際して軸心２５の両端の支持部２６を補強部材１１の側面に固定する。
この状態で軸心２５に巻回された防水シート２３を繰り出して両側部がガイドレール３を覆うように広げる。そして、更に防水シート２３を繰り出して下方に降下させて床面１０上に垂らして載置させる。
【００２７】
そして、防水シート２３の両側部のポケット２３ａにそれぞれ磁石１９を挿入して例えばスチール製のガイド部６に吸着させる。また、床面１０に載置された防水シート２３の下部にはポケット２３ｂ内に重石２０を順次挿入し、防水シート２３を防水板４やガイドレール３のガイド溝６ａ等の角部に密着させる。
この状態で、上下の防水板４の下面や最下端の防水板４の床面１０に当接する下面は止水材８を設置していることに加えて、防水シート２３で覆うために一層確実に防水できる。しかも、各防水板４とガイドレール３のガイド部６のガイド溝６ａとの小さな隙間Ｋも、防水シート２３の両側面部に設置してガイド部６に吸着させた磁石１９と床面１０上に載置した重石２０とによって止水性を確保することができる。
【００２８】
上述のように本第二実施形態による防水装置１Ａによれば、防水シート２３を巻回した防水シート部材２２を最上段の防水板４の補強部材１１上に設置して下方に防水シート２３を繰り出すことで、複数の防水板４と両側のガイドレール３を覆うことができる。そのため、たわみ分の防水シートを横方向に繰り出す従来の防水装置と比較して、防水シート２３の繰り出しによる防水のための被覆と巻き取りによる回収を簡単且つ容易に行うことができる。
しかも、防水装置１を止水するには、広げた防水シート２３の両側部と下部の各ポケット２３ａ、２３ｂに磁石１９や重石２０を挿入することで行えるため、この点でも設置と回収が容易であり、しかも防水シート２３による止水を確実に行うことができる。
また、防水シート２３を軸心２５に巻き取った防水シート部材２２は補強部材１１への着脱が容易で保管や持ち運び等にも便利である。
【００２９】
なお、上述した各実施形態において、防水シート１７、２３の両側部を防水板４やガイドレール３のガイド部６に磁石１８、１９で吸着して固定するようにしたが、固定具として磁石１８，１９に限定されない。例えば、面ファスナーを両側に設置して簡単に着脱可能してもよいし、或いは図６に示すようにガイド部６に取り付けたフック２７に防水シート１７，２３に設けたハトメ２８を係止させて保持してもよい。この場合でもフック２７の突出量を小さくすれば係止状態で防水シート１７、２３をガイド部６に密着させることができる。
【００３０】
また、上述の第二実施形態による防水装置１Ａにおいて、防水シート部材２２を断面略Ｔ字状の補強部材１１の上面に設置するようにしたが、これに代えて補強部材１１を断面Ｌ字状に形成すれば、一層防水シート部材２２の設置が容易になる。
また、防水シート部材２２を設置する補強部材１１を備えた防水板４は最上段のものに限定されることはなく、必要に応じて他の適宜の高さの防水板４に設置することができる。
また、防水シート部材２２は予め防水板４の補強部材１１に一体に固定していてもよい。この場合には防水板４の設置によって防水シート部材２２も同時に設置できて一層取り付けが容易である。
また、ガイドレール３は基本的な材質としてアルミ押出し型材であるが、必要に応じてスチール板又はステンレス鋼板を巻くこともある。
【００３１】
次に第二実施形態による防水装置１Ａにおいて、上述したものと異なる使用方法を変形例として図７及び図８によって説明する。
近年、大雨や洪水等で水が道路に溢れると、建物の出入り口２から建物に浸入する恐れがあるだけでなく、冠水等した道路を走行する車両が水の撥ねや飛沫を飛ばしたり、波立たせたりすることで防水板の上端部を超えて水が出入り口２内に浸入するおそれがあった。本発明の第二実施形態による防水装置１Ａではこのような課題に対しても解決できるようにしたものである。
【００３２】
即ち、図７及び図８に示す防水装置１Ａにおいて、最上段の防水板４の補強部材１１に設置した防水シート部材２２において、軸心２５から繰り出した防水シート２３を下方ではなく上方に繰り出すようにした。しかも、防水シート２３にはその上端部には略棒状に長いポケット２３ｃが形成され、このポケット２３ｃ内に直線状の棒材３０を開口から取り出し可能に挿入した。
しかも、防水シート２３の上端部両側にはポケット２３ｄがそれぞれ形成され、これらのポケット２３ｄには磁石３１が取り出し可能に挿入されている。そして、防水シート２３の上端部の両側角部のポケット２３ｄに挿入した磁石３１によって、防水シート２３を建物の壁面２ａの金属面に吸着して固定可能とした。
【００３３】
本第二実施形態による防水装置１Ａの変形例による使用方法によれば、最上段に設置した防水板４の補強部材１１に設けた防水シート部材２２から防水シート２３を上方に繰り出して壁面２ａに磁石３１で固定し、しかも上端部のポケット２３ｃに棒材３０を設置したため、防水シート２３が撓まない。
そのため、防水装置１Ａでは、ガイドレール３と防水板４を組み立てて雨水等の水が出入り口２から浸入することを防止するだけでなく、車両等が道路上に溢れた水を跳ね飛ばしたとしても、その滴や飛沫を、ガイドレール３に嵌合した複数の防水板４だけでなくその上方に広げた防水シート２３によっても受け止めることができて、建物の出入り口２から内部に飛散して汚れることを防止できる。
【００３４】
また、本第二実施形態による防水装置１Ａにおいて、変形例で示した滴や飛沫を受け止めるための最上段の防水板４の補強部材１１に設置した防水シート部材２２に加えて、その下側の防水板４の補強部材１１にもう１つ別の防水シート部材２２を設置してもよい。
この場合、下側の防水シート部材２２は上述したように巻き取り部材２４から防水シート２３を下方に繰り出して、雨水等がガイドレール３と防水板４との隙間Ｋから流れ込むことを複数の防水板４と共に防止することができる。
【００３５】
また、上述した第二実施形態やその変形例による防水装置１Ａにおいて、防水シート２３を繰り出し可能に巻き込んだ巻き取り部材２４は防水板４の屋外側に設けた補強部材１１に取り付けるようにしたが、本発明はこれに限定されることなく、屋内側に補強部材１１を設けて巻き取り部材２４を取り付けてもよい。この場合でも、防水板４の屋内側の補強部材１１に設置した防水シート部材２２から屋外側に防水シート２３を繰り出して防水板４の外面を覆うように広げてもよい。
【００３６】
なお、上述の変形例において、防水シート２３の上端部に必ずしも棒材３０を設置しなくてもよい。また、壁面２ａに防水シート２３を固定する固定具として、磁石３１に限定されるものではなく、フックとハトメ等の係止具でもよく、或いは面ファスナー等でもよい。
また、本発明の各実施形態による防水装置１，１Ａでは、出入り口２に設けた一対のガイドレール３のガイド溝６ａ間に１または複数の防水板４を嵌合して積層した構成について説明したが、出入り口２の幅が長いために中間部に両側にガイド溝６ａを設けた中柱を設置した場合でも、本発明を採用できる。そのため、中柱はガイドレール３に含まれる。
また、上述した第二実施形態において、巻き取り部材２４に防水シート２３を巻き付けた防水シート部材２２を防水板４の補強部材１１に設置したが、本発明では、防水板４に直接防水シート部材２２を取り付けてもよく、このような構成も本発明に含まれる。
【００３７】
本発明の付記事項として次の発明を付記する。即ち、本発明による防水装置１Ａは、ガイド溝６ａを備えたガイドレール３と、ガイドレール３のガイド溝６ａに沿って着脱可能に取り付けた防水板４と、防水板４に固定した補強部材１１に設置した防水シート２３の巻き取り部材２４を有する防水シート部材２２と、防水シート部材２２から繰り出して防水板４の上方に広げた防水シート２３を固定する固定具とを備えたことを特徴とする。
本発明によれば、道路などに水が溢れた場合や冠水した場合等に車両の走行等で水撥ねや飛沫が生じたとしても、上方に広げた防水シート２３によって水の撥ねや飛沫を受け止めることができる。
【符号の説明】
【００３８】
１、１Ａ  防水装置
２  出入り口
３  ガイドレール
４  防水板
６  ガイド部
６ａ  ガイド溝
１１  補強部材
１４，１５  磁石シート
１７、２３  防水シート
１７ａ、１７ｂ、１７ｃ、２３ａ、２３ｂ  ポケット
１８，１９、３１  磁石
２０  重石
２２  防水シート部材
２４  巻き取り部材
２５  軸心
２６  支持部
２７  フック
２８  ハトメ
【図１】
0006480273.tif 000002
【図２】
0006480273.tif 000003
【図３】
0006480273.tif 000004
【図４】
0006480273.tif 000005
【図５】
0006480273.tif 000006
【図６】
0006480273.tif 000007
【図７】
0006480273.tif 000008
【図８】
0006480273.tif 000009
【図９】
0006480273.tif 000010